(57)【要約】【課題】      映像信号出力機器と映像信号入力機器との接続の設定や、モニタ等の特定の映像機器と映像信号出力機器との接続の設定を簡単に行うことができる映像機器接続装置を提供する。【解決手段】  映像信号を出力する出力端子は、第１の出力端子と、第２の出力端子を有し、入力端子と出力端子を接続可能な切替手段は、入力端子と第１の出力端子を接続可能な第1の切替手段と、入力端子と前記第２の出力端子を接続可能な第２の切替手段を有し、制御手段１３０は、入力手段から入力された設定情報により入力端子のみが設定された場合には、第１の切替手段を制御して、当該設定情報により設定された入力端子を第１の出力端子に接続し、入力手段から入力された設定情報により入力端子と第２の出力端子が設定された場合には、第２の切替手段を制御して、当該設定情報により設定された入力端子を当該設定情報により設定された第２の出力端子に接続する。【選択図】    図１
2006108780.tif 000002
【特許請求の範囲】
【請求項１】
映像信号が入力される入力端子と、映像信号を出力する出力端子と、入力端子と出力端子を接続可能な切替手段と、前記切替手段で接続する入力端子や出力端子を設定する設定情報を入力する入力手段と、前記設定情報により設定された入力端子や出力端子を接続するように前記切替手段を制御する制御手段を備える映像機器接続装置であって、
出力端子は、第１の出力端子と、第２の出力端子を有し、
前記切替手段は、入力端子を前記第１の出力端子のみに接続可能な第1の切替手段と、入力端子と前記第２の出力端子を接続可能な第２の切替手段を有し、
前記制御手段は、前記入力手段から入力された前記設定情報により入力端子のみが設定された場合には、前記第１の切替手段を制御して当該設定情報により設定された入力端子を前記第１の出力端子に接続し、前記入力手段から入力された前記設定情報により入力端子と第２の出力端子が設定された場合には、前記第２の切替手段を制御して当該設定情報により設定された入力端子を当該設定情報により設定された第２の出力端子に接続する、
ことを特徴とする映像機器接続装置。
【請求項２】
請求項１に記載の映像機器接続装置であって、
前記入力手段は、第１の出力端子に接続する入力端子を設定する端子設定情報と第１の端子種別情報を含む第１の設定情報、第２の出力端子に接続する入力端子を設定する端子設定情報と第２の端子種別情報を含む第２の設定情報、第２の出力端子を設定する端子設定情報と第３の端子種別情報を含む第３の設定情報を前記設定情報として前記制御手段に入力可能であり、
前記制御手段は、第１の端子種別情報と端子設定情報を含む第１の設定情報が入力された場合に、前記第１の切替手段を制御して、当該第１の設定情報に含まれている端子設定情報により設定される入力端子を前記第１の出力端子に接続し、第２の端子種別情報と端子設定情報を含む第２の設定情報及び第３の端子種別情報と端子設定情報を含む第３の設定情報が入力された場合に、前記第２の切替手段を制御して、当該第２の設定情報に含まれている端子設定情報により設定される入力端子を、当該第３の設定情報に含まれている端子設定情報により設定される第２の出力端子に接続する、
ことを特徴とする映像機器接続装置。
【請求項３】
請求項１に記載の映像機器接続装置であって、
前記入力手段は、前記第１の出力端子に接続する入力端子を設定する設定情報を前記制御手段に入力可能な第１の入力部と、第２の出力端子に接続する入力端子を設定する設定情報を前記制御手段に入力可能な第２の入力部と、第２の出力端子を設定する設定情報を前記制御手段に入力可能な第３の入力部を有し、
前記制御手段は、前記第１の入力部から設定情報が入力された場合に、前記第１の切替手段を制御して、前記第１の入力部から入力された前記設定情報により設定された入力端子を前記第１の出力端子に接続し、前記第２の入力部及び前記第３の入力部から設定情報が入力された場合に、前記第２の切替手段を制御して、前記第２の入力部から入力された前記設定情報により設定された入力端子を前記第３の入力部から入力された前記設定情報により設定された第２の出力端子に接続する、
ことを特徴とする映像機器接続装置。
【請求項４】
映像信号が入力される複数の入力端子と、映像信号を出力する複数の出力端子と、入力端子と出力端子を接続可能な切替手段と、前記切替手段で接続する入力端子や出力端子を設定する設定情報を入力する入力手段と、前記設定情報により設定された入力端子や出力端子を接続するように前記切替手段を制御する制御手段を備える映像機器接続装置であって、
前記切替手段は、前記複数の出力端子に対応して設けられ、前記入力端子を、当該対応する出力端子のみに接続可能な複数の個別切替手段を有し、
前記制御手段は、設定情報により設定された出力端子に対応する個別切替手段を制御して、当該個別切替手段に対応する出力端子に、設定情報により設定された入力端子を接続する、
ことを特徴とする映像機器接続装置。
【発明の詳細な説明】
【技術分野】
【０００１】
本発明は、使用者が、複数の映像機器を簡単に接続することができる映像機器接続装置に関する。
【背景技術】
【０００２】
テレビ等の表示器、ＶＴＲ、ＤＶＤプレーヤなどの複数の映像機器（ＡＶ機器）を接続する映像機器接続装置（「ＡＶセレクタ」と呼ばれている）が知られている。
各ＡＶ機器には、映像信号を出力する映像信号出力端子や映像信号が入力される映像信号入力端子が設けられている。また、ＡＶセレクタには、ＡＶ機器からの映像信号が入力される複数の入力端子やＡＶ機器に映像信号を出力する複数の出力端子が設けられている。
なお、ＡＶ機器やＡＶセレクタには、音声信号を出力するための音声信号出力端子や音声信号を入力するための音声信号入力端子が設けられている。また。映像信号や音声信号をデジタル信号で入出力するためのデジタル信号出力端子やデジタル信号入力端子が設けられているものもある。以下では、説明を簡単にするために、映像信号の接続のみについて説明する。
ＡＶセレクタの入力端子は、各ＡＶ機器の映像信号出力端子に、ＡＶセレクタの出力端子は、各ＡＶ機器の映像信号入力端子に接続されている。
そして、使用者は、ＡＶ機器の接続系統を設定する。すなわち、ＡＶセレクタに接続されているＡＶ機器の中から、映像信号を出力するＡＶ機器（映像信号を出力するＡＶ機器の機器側映像信号出力端子が接続されているセレクタ側映像信号入力端子）と、映像信号を入力させるＡＶ機器（映像信号を入力させるＡＶ機器の機器側映像信号入力端子に接続されているセレクタ側映像信号出力端子）を選択する。
ＡＶセレクタは、使用者が設定した接続系統に基づいて、切替手段を制御し、選択された入力端子と出力端子を接続する。
なお、ＡＶ機器の接続系統を同時に複数設定可能なＡＶセレクタも知られている。（特許文献１参照）。
【特許文献１】特開平７−３０９７１号公報
【発明の開示】
【発明が解決しようとする課題】
【０００３】
ところで、使用者は、ＶＴＲやＤＶＤプレーヤ等の、映像信号を再生あるいは読み出して出力する複数のＡＶ機器から出力される映像信号を、テレビ等の表示装置（「モニタ」という。）である特定のＡＶ機器に表示させることを主たる目的としてＡＶセレクタを用いることが多い。
従来のＡＶセレクタは、ＡＶ機器の接続系統を設定する場合には、映像信号を出力するＡＶ機器（映像信号出力機器）と映像信号を入力させるＡＶ機器（映像信号入力機器）を選択する必要がある。このため、映像信号出力機器とモニタを接続する場合でも、使用者は、映像信号入力機器としてモニタを選択するとともに、映像信号出力機器を選択する必要がある。
そこで、本発明が解決しようとする課題は、映像信号出力機器と映像信号入力機器との接続の設定や、モニタ等の特定の映像機器と映像信号出力機器との接続の設定を簡単に行うことができる映像機器接続装置を提供することである。
【課題を解決するための手段】
【０００４】
上記課題を達成するため、各請求項記載の発明が構成される。
（請求項１に記載の発明）
請求項１に記載の発明によれば、映像信号が入力される入力端子と、映像信号を出力する出力端子と、入力端子と出力端子を接続可能な切替手段と、切替手段で接続する入力端子や出力端子を設定する設定情報を入力する入力手段と、設定情報により設定された入力端子や出力端子を接続するように切替手段を制御する制御手段を備える映像機器接続装置が構成される。
この出力端子は、第１の出力端子と、第２の出力端子を有している。
また、切替手段は、入力端子を第１の出力端子のみに接続可能な第1の切替手段と、入力端子と第２の出力端子を接続可能な第２の切替手段を有し、
そして、制御手段は、入力手段から入力された設定情報により入力端子のみが設定された場合には、第１の切替手段を制御して当該設定情報により設定された入力端子を第１の出力端子に接続し、入力手段から入力された設定情報により入力端子と第２の出力端子が設定された場合には、第２の切替手段を制御して当該設定情報により設定された入力端子を当該設定情報により設定された第２の出力端子に接続する。
【０００５】
「映像信号」は、モニタ等の表示装置に映像を表示可能な信号、例えば、コンポジット映像信号、コンポーネント映像信号等を広く包含する。したがって、入力端子および出力端子としては、上記映像信号を入出力可能な端子、例えば、コンポジット端子（いわゆる、ＮＴＳＣ端子）、セパレート端子（いわゆる、Ｓ端子）、コンポーネント映像端子、Ｄ端子等を全て包含する。
切替手段は、ハードウェアで構成されていてもよいし、ソフトウェアで構成されていてもよい。
「設定情報」は、入力端子や出力端子を設定するための情報であればよく、入力端子や出力端子そのものを示す端子識別情報を用いてもよいし、現在設定されている端子を次の順番の端子（次の端子、あるいは前の端子）に設定するための端子送り情報を用いてもよい。
また、設定情報には、入力端子のみが設定される端子設定情報を有する設定情報と、入力端子と出力端子が設定される端子設定情報を有する設定情報があり、いずれか一方のみが入力手段から入力されてもよいし、両方が入力されてもよい。
また、設定情報には、端子の種類（第１の出力端子に接続する入力端子、第２の出力端子、第２の出力端子に接続する出力端子等）を示す情報が含まれていてもよい。
入力手段は、使用者が、切替手段により接続される入力端子と出力端子とを設定する設定情報を入力可能に構成されていればよく、例えば、映像機器接続装置の前面パネル等本体に配置された操作部として構成されていてもよいし、送信手段と受信手段とから成るリモコンとして構成されていてもよい。
第１の出力端子には、特定の映像機器（典型的には、モニタ。）の、映像信号入力端子が接続される。
第２の出力端子には、特定の映像機器以外の映像機器の、映像信号入力端子が接続される。なお、この映像機器の映像信号出力端子は、映像機器接続装置の入力端子に接続される。
【０００６】
本発明の映像機器接続装置では、入力手段から入力された設定情報に基づいて入力端子のみが設定された場合には、当該入力端子を、第１の出力端子（モニタ等特定の映像機器の映像信号入力端子に接続されている特定の出力端子）に接続することができる。
したがって、例えば、映像信号を出力する映像機器（映像信号出力機器）とモニタを接続する場合には、映像信号出力機器のみを選択すればよい。
これにより、映像信号出力機器と映像信号入力機器との接続の設定や、モニタ等の特定の映像機器と映像信号出力機器との接続の設定を簡単に行うことができる。
【０００７】
（請求項２に記載の発明）
請求項２に記載の発明は、請求項１に記載の映像機器接続装置であって、入力手段は、第１の出力端子に接続する入力端子を設定する端子設定情報と第１の端子種別情報を含む第１の設定情報、第２の出力端子に接続する入力端子を設定する端子設定情報と第２の端子種別情報を含む第２の設定情報、第２の出力端子を設定する端子設定情報と第３の端子種別情報を含む第３の設定情報を前記設定情報として前記制御手段に入力可能であり、
前記制御手段は、第１の端子種別情報と端子設定情報を含む第１の設定情報が入力された場合に、前記第１の切替手段を制御して、当該第１の設定情報に含まれている端子設定情報により設定される入力端子を前記第１の出力端子に接続し、第２の端子種別情報と端子設定情報を含む第２の設定情報及び第３の端子種別情報と端子設定情報を含む第３の設定情報が入力された場合に、前記第２の切替手段を制御して、当該第２の設定情報に含まれている端子設定情報により設定される入力端子を、当該第３の設定情報に含まれている端子設定情報により設定される第２の出力端子に接続する、
ことを特徴とする映像機器接続装置。
【０００８】
「第１〜第３の端子種別情報」としては、制御手段が、各端子種別情報とともに入力される端子設定情報の種類を区別することができる情報であればよく、端子設定情報の種類としては、第１の出力端子に接続される入力端子を設定する端子設定情報（第１の端子種別情報とともに制御部に入力される。）、第２の出力端子に接続される入力端子を設定する端子設定情報（第２の端子種別情報とともに制御部に入力される。）、また、この第２の出力端子を設定する端子設定情報がある（第３の端子種別情報とともに制御部に入力される。）。
また、各端子種別情報は、使用者が、入力手段で端子設定情報を設定する際に、当該端子設定情報に自動的に付されて制御手段に入力されるのが好ましい。
第１〜第３の設定情報は、制御手段に順次入力されてもよいし、同時に入力されてもよい。
本発明の映像機器接続装置を用いれば、制御手段が、容易に端子設定情報の種類を区別することができる。
特に、例えば、リモコンのようにシリアルに信号を送信する構成の入力手段が用いられていても、制御手段は、順に受信する端子設定情報の種類を、ともに受信する端子種別情報により容易に区別することができる。
したがって、端子設定情報を入力する構成を簡単化することができる。
【０００９】
（請求項３に記載の発明）
請求項１に記載の映像機器接続装置であって、入力手段は、第１の出力端子に接続する入力端子を設定する設定情報を前記制御手段に入力可能な第１の入力部と、第２の出力端子に接続する入力端子を設定する設定情報を制御手段に入力可能な第２の入力部と、第２の出力端子を設定する設定情報を制御手段に入力可能な第３の入力部を有している。
そして、制御手段は、第１の入力部から設定情報が入力された場合に、第１の切替手段を制御して、第１の入力部から入力された設定情報により設定された入力端子を第１の出力端子に接続し、第２の入力部及び前記第３の入力部から設定情報が入力された場合に、第２の切替手段を制御して、第２の入力部から入力された前記設定情報により設定された入力端子を第３の入力部から入力された前記設定情報により設定された第２の出力端子に接続する。
【００１０】
「第１〜第３の入力部」としては、制御手段が、３種類の入力部から入力された端子識別情報を区別することができる構成であればよく、ハードウェアで構成されていてもソフトウェアで構成されていてもよい。
本発明の映像機器接続装置によれば、例えば、映像機器接続装置本体に操作部が配置された構成の入力手段が用いられる場合、第１の出力端子に接続する入力端子を設定する設定情報を入力可能な入力手段（第１の入力手段）と、第２の出力端子に接続する入力端子を設定する設定情報を入力可能な入力手段（第２の入力手段）と、第２の出力端子を設定する設定情報を入力可能な入力手段（第３の入力手段）を、別々の操作部として構成することができる。したがって、制御手段は、各入力手段から入力される設定情報を容易に区別することができる。
したがって、使用者は、設定情報により設定される端子の種類(設定情報の種類)を意識する必要がなく、設定情報を設定する操作が容易である。
【００１１】
（請求項４に記載の発明）
請求項４に記載に発明によれば、映像信号が入力される複数の入力端子と、映像信号を出力する複数の出力端子と、入力端子と出力端子を接続可能な切替手段と、切替手段で接続する入力端子や出力端子を設定する設定情報を入力する入力手段と、設定情報により設定された入力端子や出力端子を接続するように切替手段を制御する制御手段を備える映像機器接続装置が構成される。
この切替手段は、複数の出力端子に対応して設けられ、入力端子を、当該対応する出力端子のみに接続可能な複数の個別切替手段を有し、
制御手段は、設定情報により設定された出力端子に対応する個別切替手段を制御して、当該個別切替手段に対応する出力端子に、設定情報により設定された入力端子を接続する。
【００１２】
本発明の映像機器接続装置では、各出力端子に対応する複数の個別切替手段が設けられ、各個別切替手段は、制御手段により、当該切替手段に対応する出力端子に、端子設定情報により設定された入力端子を接続可能に構成されている。
通常、複数系統の入力端子と出力端子を接続する場合に、使用者は、系統（チャンネル等）の設定操作、入力端子の設定操作、出力端子の設定操作と３回の設定操作を行う。しかしながら、本発明の映像機器接続装置を用いれば、系統毎に構成される個別切替手段を有しているので、系統あるいは出力端子についてはいずれか一方を設定すればよい。したがって、あとは、入力端子の設定操作を行えばよく、使用者は、各出力端子に接続された映像信号入力機器と、入力端子に接続された映像信号出力機器との接続の設定操作を簡単に行うことができる。
また、出力端子毎に個別切替手段が設けられているので、制御手段による切替手段の制御が容易である。
【発明の効果】
【００１３】
本発明によれば、使用者が、モニタ等の特定の映像機器と映像信号出力機器との接続の設定を簡単に行うことができる映像機器接続装置が提供されることとなった。
【発明を実施するための最良の形態】
【００１４】
（第１の実施の形態）
以下に、本発明を実施する最良の形態の一例につき、図１〜図４を参照しつつ説明する。本実施の形態では、映像機器接続装置（以降、ＡＶセレクタと称呼する。）に、モニタ等特定のＡＶ機器（映像機器）、およびモニタ以外の複数のＡＶ機器が接続可能に構成されている。本実施の形態のＡＶセレクタは、使用者がリモコンを用いて、いずれかの入力端子から入力される映像信号をモニタに出力する接続系統を設定可能である（以降、モニタの接続の設定と称呼する。）。また、いずれかの入力端子から入力される映像信号を、いずれかの出力端子に出力する接続系統を同時に２系統（チャンネル１およびチャンネル２）設定可能である（以降、ＡＶ機器間の接続の設定と称呼する。）。ＡＶセレクタは、リモコンで設定された、モニタの接続の設定に基づいて、モニタに表示する映像信号が入力される入力端子と、モニタが接続されている出力端子を接続する。また、ＡＶセレクタは、リモコンで設定された２系統のＡＶ機器間の接続の設定に基づいて、２系統の入力端子と出力端子をそれぞれ接続する。
本実施の形態のＡＶセレクタ１００の概略構成図を図１に示す。図２には、ＡＶセレクタ１００の前面（使用者側）のパネルに設けられた表示部と、リモコン１１０の操作キーの一例を示す。図３には、ＡＶセレクタの背面（使用者側と反対側）に設けられた入力端子および出力端子の一例を示す。図４は、ＡＶセレクタ１００の動作を制御する、ＡＶセレクタ１００に設けられている制御部が実行する、モニタの接続の設定およびＡＶ機器間の接続の設定に基づいて、入力端子や出力端子を接続する動作を示すフローチャート図である。
【００１５】
まず、ＡＶセレクタ１００の概略構成を説明する。
図１に示すように、本実施の形態のＡＶセレクタ１００は、リモコン１１０、リモコンの受光部１２０、電源スイッチ１０５、制御部１３０、第１切替手段１４０、第２切替手段１５０、表示部１６０を備えている。また、ＡＶセレクタ１００は、入力端子１９１〜１９４、出力端子１９５〜１９９を備えている。
制御部１３０には、電源スイッチ１０５、リモコンの受光部１２０、表示部１６０、第１切替手段１４０、第２切替手段１５０が接続されている。
第１切替手段１４０は、入力端子１９１〜１９４、出力端子１９５と接続されている。また、第２切替手段１５０は、入力端子１９１〜１９４、出力端子１９６〜１９９と接続されている。
【００１６】
この制御部１３０は、入力端子１９１〜１９４を、端子識別情報［０１］〜［０４］の入力端子として認識する。また、出力端子１９５〜１９９を、端子識別情報［０５］〜［０９］の出力端子として認識する。
また、制御部１３０は、出力端子１９５（端子識別情報［０５］）に接続する特定のＡＶ機器を１番の機器、入力端子１９１および出力端子１９６（端子識別情報［０１］、［０６］）に接続するＡＶ機器を２番の機器、入力端子１９２および出力端子１９７（端子識別情報［０２］、［０７］）に接続するＡＶ機器を３番の機器、入力端子１９３および出力端子１９８（端子識別情報［０３］、［０８］）に接続するＡＶ機器を４番の機器、入力端子１９４および出力端子１９９（端子識別情報［０４］、［０９］）に接続するＡＶ機器を５番の機器と認識する。
本実施の形態では、図１に示すように、１番の機器(特定のＡＶ機器)としてモニタ２００が、２番の機器としてＨＤＤレコーダ３００が、３番の機器としてＶＴＲ４００が、４番の機器としてＶＴＲ５００が、５番の機器としてＰＣ６００が接続されている。
ＡＶセレクタ１００は、電源スイッチ１０５が操作されると、制御部１３０が動作を開始し、これによってＡＶセレクタ１００が動作を開始するように構成されている。
本実施の形態の出力端子１９５（端子識別情報［０５］）は、本発明の「第１の出力端子に対応する。また、本実施の形態のその他の出力端子（端子識別情報［０６］〜［０９］）は、本発明の「第２の出力端子」に対応する。
【００１７】
次に、図１〜図３を参照して、ＡＶセレクタ１００の各部の詳細な構成を説明する。
リモコン１１０は、モニタの接続の設定、およびチャンネル１、２のＡＶ機器間の接続の設定が行えるように構成されている。
具体的には、図２に示すように、リモコン１１０には、電源スイッチ１１１と、チャンネル切替キー、映像信号出力機器を設定する入力側設定キー１１３、映像信号入力機器を設定する出力側設定キー１１４、モニタ表示設定キー１１５が設けられている。
電源スイッチ１１１が操作されると、本体に設けられた電源スイッチ１０５が操作された場合と同様、ＡＶセレクタ１００を制御している制御部１３０が動作を開始するように構成されている。
チャンネル切替キーとしては、チャンネル１に対応するキー１１２ａとチャンネル２に対応するキー１１２ｂが設けられており、チャンネル１に対応するキー１１２ａが操作されると、チャンネル１で接続する入力端子と出力端子が、入力側設定キー１１３及び出力側設定キー１１４を用いて設定可能となる。また、チャンネル２に対応するキー１１２ｂが操作されると、チャンネル２で接続する入力端子と出力端子が、入力側設定キー１１３及び出力側設定キー１１４を用いて設定可能となる。これにより、チャンネル１、２のＡＶ機器間の接続の設定が行われる。
これとは別に、モニタ表示設定キー１１５が設けられており、モニタに表示される映像信号が入力される入力端子を、当該設定キーを用いて設定可能な構成となっている。これにより、モニタの接続の設定が行われる。
【００１８】
ところで、図２に示すように、ＡＶセレクタ１００の本体の表示部１６０には、チャンネル１に対応する映像信号出力機器の番号表示部１６１および映像信号入力機器の番号表示部１６２、チャンネル２に対応する映像信号出力機器の番号表示部１６３および映像信号入力機器の番号表示部１６４、モニタ２００に表示する映像の映像信号を出力するＡＶ機器の番号を表示するモニタ出力表示部１６５が設けられている。
各接続の設定は、この表示部１６０により、使用者が視認可能な構成となっている。
具体的には、リモコン１１０で、チャンネル１を設定するチャンネル切替キー１１２ａが操作された後に、入力側設定キー１１３が１回操作される毎に、チャンネル１に対応する映像信号出力機器の番号が１ずつ加算され設定される。この際、同時に、番号表示部１６１に表示されている数字が“１”ずつ増加され表示される。同様にして、チャンネル１を設定するチャンネル切替キー１１２ａが操作された後に、出力側設定キー１１４が１回操作される毎に、チャンネル１に対応する映像信号入力機器の番号が１ずつ加算され設定されるとともに、番号表示部１６２に表示されている数字が“１”ずつ増加され表示される。なお、設定された番号や表示された番号が、ＡＶセレクタ１００に接続されている映像信号出力機器の最大番号に達したら、次に加算される際に、最小番号に戻る。
また、リモコン１１０で、チャンネル２を設定するチャンネル切替キー１１２ｂが操作された後に、入力側設定キー１１３が１回操作される毎に、チャンネル２に対応する映像信号出力機器の番号が１ずつ加算され設定される。この際、同時に、番号表示部１６３に表示されている数字が“１”ずつ増加され表示される。同様にして、チャンネル２を設定するチャンネル切替キー１１２ｂが操作された後に、出力側設定キー１１４が１回操作される毎に、チャンネル２に対応する映像信号入力機器の番号が１ずつ加算され設定されるとともに、番号表示部１６４に表示されている数字が“１”ずつ増加され表示される。なお、設定された番号や表示された番号が、ＡＶセレクタ１００に接続されている映像信号出力機器の最大番号に達したら、次に加算される際に、最小番号に戻る。
また、リモコン１１０で、モニタ表示設定キー１１５が１回操作される毎に、モニタに接続する映像信号出力機器の番号が１ずつ加算され設定される。この際、同時に、モニタ出力表示部１６５に表示されている数字が“１”ずつ増加され表示される。なお、設定された番号や表示された番号が、ＡＶセレクタ１００に接続されている映像信号出力機器の最大番号に達したら、次に加算される際に、最小番号に戻る。
【００１９】
リモコン１１０は、この構成を用いて設定された、モニタの接続の設定、およびチャンネル１、２のＡＶ機器間の接続の設定を示す入力信号を、本体の受光部１２０に送信する。
モニタ表示設定キー１１５が操作された場合には、リモコン１１０は、[モニタに接続する映像信号出力機器（入力端子）の設定であることを示す識別情報（第１の端子種別情報）]と[現在設定されている、モニタに接続する映像信号出力機器の番号に１を加算すること（モニタの接続の更新情報と称呼する）を示す端子設定情報]を有する次順の映像信号出力機器を設定する入力信号を、受光部１２０に送信する。
また、チャンネル切替キー１１２ａあるいはチャンネル切替キー１１２ｂが操作された場合には、リモコン１１０は、［チャンネル識別情報（１）］あるいは［チャンネル識別情報（２）］を示す入力信号を、受光部１２０に送信する。そして、例えば、チャンネル切替キー１１２ａが操作されて、［チャンネル識別情報（１）］が受光部１２０に送信された後、入力側設定キー１１３が操作された場合には、チャンネル１に対応する［ＡＶ機器間の接続の設定のうち映像信号出力機器（入力端子）の設定であることを示す識別情報（第２の端子種別情報）］と［現在設定されている、映像信号出力機器の番号に１を加算すること（入力側の接続の更新情報と称呼する）を示す端子設定情報）］を有する次順の映像信号出力機器を設定する入力信号を、受光部１２０に送信する。また、出力側設定キー１１４が操作された場合には、チャンネル１に対応する［ＡＶ機器間の接続の設定のうち映像信号入力機器（出力端子）の設定であることを示す識別情報（第３の端子種別情報）］と［今まで設定されている、映像信号入力機器の番号に１を加算すること（出力側の接続の更新情報と称呼する）を示す端子設定情報）］を有する次順の映像信号出力機器を設定する入力信号を、受光部１２０に送信する。チャンネル２についても同様である。
上記した本実施の形態の「モニタの接続の更新情報」、チャンネル１，２にそれぞれに対応する「入力側の接続の更新情報」および「出力側の接続の更新情報」が、本発明の「端子設定情報」に対応する。
【００２０】
制御部１３０は、マイクロプロセッサを中心として構成されており、ＡＶセレクタ１００の動作を実行する制御プログラムが記憶されている記憶部（特に図示していない。）を有している。
受光部１２０から入力された入力信号は、制御プログラムに基づいて、制御部１３０で以下のように認識される。第１の端子種別情報とともに入力された端子設定情報は、モニタに接続される入力端子の設定情報であることが認識される。また、第２の端子種別情報とともに入力された端子設定情報は、ＡＶ機器間の接続において、映像信号出力機器に接続されている入力端子の設定情報であることが認識される。また、第３の端子種別情報とともに入力された端子設定情報は、ＡＶ機器間の接続において、映像信号入力機器に接続されている出力端子の設定情報であることが認識される。
そして、制御部１３０では、「モニタの接続の更新情報」、チャンネル１，２にそれぞれに対応する「入力側の接続の更新情報」および「出力側の接続の更新情報」に基づいて各ＡＶ機器が接続されている入力端子と出力端子の接続の設定が行われるとともに、接続する各ＡＶ機器の番号を表示部１６０に表示する。
【００２１】
制御部１３０は、各ＡＶ機器が接続されている入力端子と出力端子の接続の設定に基づいて第１切替手段１４０を切り替える。すなわち、端子設定情報で示されるモニタ２００に表示する映像を出力する映像信号出力機器の映像信号出力端子が接続されているＡＶセレクタ１００の入力端子と、モニタ２００の映像信号入力端子に接続されているＡＶセレクタ１００の出力端子１９５を接続する。
また、制御部１３０は、設定に基づいて第２切替手段１５０を切り替える。すなわち、チャンネル１に対応する映像信号入力機器（出力側に設定されたＡＶ機器）の映像出力端子が接続されているＡＶセレクタ１００の入力端子と、映像信号出力機器（入力側に設定されたＡＶ機器）の映像信号入力端子が接続されているＡＶセレクタ１００の出力端子を接続する。また、チャンネル２に対応するＡＶセレクタ１００の入力端子と出力端子を接続する。
【００２２】
なお、第１および第２切替手段１４０、１５０は、複数のスイッチング素子がマトリクス状に接続されて構成されており、各スイッチング素子のオン／オフ状態が制御部１３０により切り替えられるように構成されている。
これにより、ＡＶセレクタ１００は、電源スイッチ１０５がオン状態となると、リモコン１１０で設定された、モニタ２００に表示する映像を出力するＡＶ機器とモニタ２００を接続し、当該ＡＶ機器から出力される映像信号をモニタ２００に入力する。モニタ２００は、入力された映像信号を表示する。
そして、ＡＶセレクタ１００は、リモコンで設定されたチャンネル１およびチャネル２の２系統のＡＶ機器間を接続し、それぞれ、映像信号入力機器（出力側に設定されたＡＶ機器）から出力される映像信号を、映像信号出力機器（入力側に設定されたＡＶ機器）に入力する。これにより、接続されたＡＶ機器間での映像信号の送受信が可能となる。
なお、電源スイッチ１０５がオフ状態となっても、以前の設定が制御手段１３０で記憶されており、リモコン１１０を用いて設定を変更しなければ、次に、電源スイッチ１０５をオン状態にしても、以前の設定が保持されている。
【００２３】
なお、図３に示すように、ＡＶセレクタ１００の背面には、モニタを接続するための出力端子１９５（端子識別情報［０５］）、２番のＡＶ機器を接続するための入力端子１９１および出力端子１９６（端子識別情報［０１］、［０６］）、３番のＡＶ機器を接続するための入力端子１９２および出力端子１９７（端子識別情報［０２］、［０７］）、４番のＡＶ機器を接続するための入力端子１９３および出力端子１９８（端子識別情報［０３］、［０８］）、５番のＡＶ機器を接続するための入力端子１９４および出力端子１９９（端子識別情報［０４］、［０９］）が設けられている。
ＡＶセレクタ１００では、各入力端子、出力端子として、Ｓ端子、ＮＴＳＣ端子、Ｄ端子等が設けられており、接続されるＡＶ機器が入出力する映像信号の種類に応じた端子が用いられる。また、音声端子も設けられている。
【００２４】
次に、モニタの接続の設定およびＡＶ機器間の接続の設定に基づいて、ＡＶセレクタ１００が入力端子や出力端子を接続する動作を、図４に示すフローチャート図を用いて説明する。
ここでは、図２の表示部１６０で示すように、モニタに表示する映像として、２番のＡＶ機器（ＨＤＤレコーダ３００）が出力する映像信号による映像が設定され、ＡＶ機器間の接続として、チャンネル１では、入力側に３番のＡＶ機器（ＶＴＲ４００）出力側に５番のＡＶ機器（ＰＣ６００）、チャンネル２では、入力側に５番のＡＶ機器（ＰＣ６００）出力側に２番のＡＶ機器（ＨＤＤレコーダ３００）が設定された場合について説明する。
【００２５】
まず、制御部１３０は、ステップＳ１０で、入力信号の入力があるか否かを判別する。入力信号の入力があれば（ステップＳ１０のＹＥＳ）、ステップＳ１２に進む。入力信号の入力がなければ（ステップＳ１０のＮＯ）終了する。
ステップＳ１２で、制御部１３０は、入力信号にチャンネル識別情報が含まれているかいなか、含まれていればチャンネル１かチャンネル２かを判別する。入力信号にチャンネル識別情報が含まれていなければ、ステップＳ１８に進む。チャンネル識別情報がチャンネル１を示していれば、ステップＳ１４に進む。チャンネル識別情報がチャンネル２を示していれば、ステップＳ１６に進む。
ステップＳ１４では、チャンネル１のフラグがセットされる。チャンネル２のフラグがセットされていた場合にはリセットされる。
また、ステップＳ１６では、チャンネル２のフラグがセットされる。チャンネル１のフラグがセットされていた場合にはリセットされる。
ステップＳ１８では、入力信号に、端子設定情報とともに入力される端子種別情報が含まれているか、含まれていれば、第１の端子種別情報、第２の端子種別情報、第３の端子種別情報のうちのいずれであるかが判別される。識別情報が含まれていない場合には、終了する。端子識別情報が第１の端子種別情報の場合には、ステップＳ２０に進む。第２の端子種別情報の場合には、ステップＳ２２に進む。第３の端子種別情報の場合には、ステップＳ３０に進む。
ステップＳ２０では、制御部１３０は、モニタ２００が接続されている出力端子１９５（端子識別情報［０５］の端子）に接続する入力端子として、第１の端子種別情報とともに受信した「モニタの接続の更新情報」により入力端子１９１を設定する。
詳しくは、制御部１３０には、モニタ２００が接続されている出力端子１９５に接続する入力端子に対応するカウンタ（モニタカウンタと称呼する。）が設けられていて、前記したリモコン１１０から受信部１２０を介して、「モニタの接続の更新情報」が入力されると、モニタカウンタのカウンタ値に１を加算する。このカウンタ値は、出力端子１９５に接続するＡＶ機器の番号を示す。また、制御部１３０の記憶部には、ＡＶ機器の番号と当該ＡＶ機器が接続されているＡＶセレクタ１００の入力端子や出力端子の端子識別情報の対応が記憶されている。モニタカウンタのカウンタ値が“２”であれば、２番のＡＶ機器（ＨＤＤレコーダ３００）が接続されているＡＶセレクタ１００の端子識別情報［０１］の端子、すなわち入力端子１９１が、出力端子１９５に接続する入力端子として設定される。そして、制御部１３０は、ステップＳ２１に進む。
ステップＳ２１では、第１の切替手段１４０により、出力端子１９５と、ステップＳ２０で設定された入力端子１９１が接続され、終了する。これにより、モニタの映像信号入力端子に、第１の切替手段１４０を介して、ＨＤＤレコーダ３００（２番のＡＶ機器）の映像信号出力端子が接続される。
ステップＳ２２では、チャンネル１のフラグがセットされているか、チャンネル２のフラグがセットされているかを判別する。チャンネル１のフラグがセットされている場合には、ステップＳ２４に進む。チャンネル２のフラグがセットされている場合には、ステップＳ２６に進む。
ステップＳ２４では、制御部１３０は、チャンネル１の系統のＡＶ機器間の接続の入力側として、リモコン１１０から受光部１２０を介して、第２の端子識別情報とともに受信したチャンネル１の「入力側の接続の更新情報」により入力端子１９２を設定する。
詳しくは、制御部１３０には、チャンネル１およびチャンネル２それぞれについて、ＡＶ機器間の接続の入力端子に対応するカウンタ(入力側機器カウンタと称呼する。)が設けられている。前記したリモコン１１０から受信部１２０を介して、「入力側の接続の更新情報」が入力されると、入力側機器カウンタのカウンタ値に１を加算する。このカウンタ値は、対応するチャンネルの入力側のＡＶ機器の番号を示す。また、前記したように、制御部１３０の記憶部には、ＡＶ機器の番号と当該ＡＶ機器が接続されているＡＶセレクタ１００の入力端子や出力端子の端子識別情報の対応が記憶されている。チャンネル１の入力側機器カウンタのカウンタ値が“３”であれば、３番のＡＶ機器（ＶＴＲ４００）が接続されているＡＶセレクタ１００の端子識別情報［０２］の端子、すなわち入力端子１９２が、チャンネル１の入力端子として設定される。そして、制御部１３０は、ステップＳ２１に進む。
また、ステップＳ２６では、制御部１３０は、チャンネル２の系統のＡＶ機器間の接続の入力側として、リモコン１１０から受光部１２０を介して、第２の端子識別情報とともに受信したチャンネル２の「入力側の接続の更新情報」により、ステップＳ２４で示したチャンネル１の場合と同様にして入力端子１９４（チャンネル１の入力側機器カウンタのカウンタ値が“５”すなわち、５番のＡＶ機器（ＰＣ６００）が接続されているＡＶセレクタ１００の端子識別情報［０４］の端子）を設定する。そして、ステップＳ３６に進む。
一方、ステップＳ３０では、チャンネル１のフラグがセットされているか、チャンネル２のフラグがセットされているかを判別する。チャンネル１のフラグがセットされている場合には、ステップＳ３２に進む。チャンネル２のフラグがセットされている場合には、ステップＳ３４に進む。
ステップＳ３２では、制御部１３０は、チャンネル１の系統のＡＶ機器間の接続の出力側として、リモコン１１０から受光部１２０を介して、第３の端子識別情報とともに受信したチャンネル１の「出力側の接続の更新情報」により出力端子１９８を設定する。
詳しくは、制御部１３０には、チャンネル１およびチャンネル２それぞれについて、ＡＶ機器間の接続の出力端子に対応するカウンタ(出力側機器カウンタと称呼する。)が設けられている。前記したリモコン１１０から受信部１２０を介して、「出力側の接続の更新情報」が入力されると、出力側機器カウンタのカウンタ値に１を加算する。このカウンタ値は、対応するチャンネルの出力側のＡＶ機器の番号を示す。また、前記したように、制御部１３０の記憶部には、ＡＶ機器の番号と当該ＡＶ機器が接続されているＡＶセレクタ１００の入力端子や出力端子の端子識別情報の対応が記憶されている。チャンネル１の出力側機器カウンタのカウンタ値が“４”であれば、４番のＡＶ機器（ＶＴＲ５００）が接続されているＡＶセレクタ１００の端子識別情報［０８］の端子、すなわち出力端子１９８が、チャンネル１の出力端子として設定される。そして、制御部１３０は、ステップＳ２８に進む。
また、ステップＳ３４では、制御部１３０は、チャンネル２の系統のＡＶ機器間の接続の出力側として、リモコン１１０から受光部１２０を介して、第２の端子識別情報とともに受信したチャンネル２の「出力側の接続の更新情報」により、ステップＳ３２で示したチャンネル１の場合と同様にして出力端子１９６（チャンネル２の出力側機器カウンタのカウンタ値が“２”すなわち、２番のＡＶ機器（ＨＤＤレコーダ３００）が接続されているＡＶセレクタ１００の端子識別情報［０６］の端子）を設定する。そして、ステップＳ３６に進む。
ステップＳ２８では、ステップＳ２４およびステップＳ３２で設定されたチャンネル１の入力端子と出力端子が、第２の切替手段を用いて接続され終了する。
また、ステップＳ３６では、ステップＳ２６およびステップＳ３４で設定されたチャンネル２の入力端子と出力端子が、第２の切替手段を用いて接続され、終了する。
このようにして、モニタには、ＨＤＤレコーダ３００が出力する映像信号による映像が表示されるとともに、チャンネル１ではＶＴＲ４００が出力する映像信号がＶＴＲ５００に入力され、チャンネル２ではＰＣ６００が出力する映像信号がＨＤＤレコーダ３００に入力される。
【００２６】
本実施の形態のＡＶセレクタ１００によれば、モニタに表示する映像の設定を行う場合には、リモコン１１０のモニタ表示設定キー１１５を用いて、モニタへの映像信号の出力端子１９５に接続する入力端子(本実施の形態では、入力端子１９１（端子識別情報［０１］）のみを設定すればよく、モニタに表示する映像の設定を行う操作が簡単である。
【００２７】
なお、本実施の形態では、前面パネルの表示部１６０にチャンネル１用の番号表示部１６１、１６２と、チャンネル２用の番号表示部１６３、１６４を別々に設けたが、図５に示すように、チャンネル表示部１６６を設け、リモコン１１０で切替えて表示するようにしてもよい。この場合、リモコン１１０には、チャンネル切替キー１１６が設けられる。
また、表示部１６０は、リモコン１１０に設けられていてもよい。
また、本実施の形態では、チャンネル識別情報を示す入力信号と、端子設定情報を含む入力信号が別々に受光部１２０に送信される場合について説明したが、これらは、同時に送信される構成となっていてもよい。
【００２８】
（第２の実施の形態）
次に、第２の実施の形態のＡＶセレクタ１０１を、図６、図７を参照して説明する。
まず、ＡＶセレクタ１０１の概略構成を説明する。
第２の実施の形態のＡＶセレクタ１０１の概略構成図を図６に示す。図７には、ＡＶセレクタ１０１の前面（使用者側）のパネルに設けられた表示部と、入力部の一例を示す。
図６に示すように、本実施の形態のＡＶセレクタ１０１において、第１の実施の形態のＡＶセレクタ１００と相違する構成としては、ＡＶセレクタ１０１には、本発明の入力手段として、第１〜第３の入力部が設けられているが、リモコン１１０およびリモコンの受光部１２０は設けられていない。その他の構成は、ＡＶセレクタ１００と同じである。
そして、制御部１３０には、電源スイッチ１０５、表示部１６０、第１切替手段１４０、第２切替手段１５０の他に、第１入力部１７０、第２入力部１８０、第３入力部１８５が接続されている。
【００２９】
図７に示すように、ＡＶセレクタ１０１の前面（使用者側）のパネルには、モニタ出力表示部１６５に隣接して第１の入力部１７０が設けられている。また、チャンネル１に対応する映像信号出力機器の番号表示部１６１に隣接して第２の入力部１８０が設けられている。また、チャンネル１に対応する映像信号入力機器の番号表示部１６２に隣接して第３の入力部１８５が設けられている。チャンネル２についてもチャンネル１の場合と同様、映像信号出力機器の番号表示部１６３に隣接して第２の入力部１８０が、映像信号入力機器の番号表示部１６４に隣接して第３の入力部１８５が設けられている。
各入力部には、三角形のキーと逆三角形のキーが設けられ、三角形のキーが操作されると、隣接する表示部に表示された数字が１ずつ増加して表示されるとともに、表示されている数字に対応する番号のＡＶ機器が接続された入力端子あるいは出力端子が、モニタの接続の設定あるいはＡＶ機器間の接続の設定として入力される。また、逆三角形のキーが操作されると、隣接する表示部に表示された数字が１ずつ減少して表示されるとともに、表示されている数字に対応する番号のＡＶ機器が接続された入力端子あるいは出力端子が、モニタの接続の設定およびＡＶ機器間の接続の設定として入力される。
各入力部は、制御部１３０に、切替手段で接続する入力端子や出力端子を設定する入力信号を出力しており、上記した表示部１６０に表示される数字の増減も、制御部１３０に入力された入力信号により、制御部１３０が行っている。
【００３０】
制御部１３０では、第１の入力部から入力された入力信号は、モニタに表示する映像（本実施の形態では、２番のＡＶ機器であるＨＤＤレコーダ３００から出力された映像信号による映像）の設定であることを判別する。
また、制御部１３０は、第２の入力部から入力された入力信号は、ＡＶ機器間の接続の設定のうち入力側のＡＶ機器（本実施の形態では、チャンネル１は番号３のＡＶ機器であるＶＴＲ４００、チャンネル２は番号５のＡＶ機器であるＰＣ６００）の設定であることを判別する。第３の入力部から入力された入力信号は、ＡＶ機器間の接続の設定のうち出力側のＡＶ機器（本実施の形態では、チャンネル１は番号４のＡＶ機器であるＶＴＲ５００、チャンネル２は番号２のＡＶ機器であるＨＤＤレコーダ３００）の設定であることを判別する。
このようにして、モニタ２００には、ＨＤＤレコーダ３００が出力する映像信号による映像が表示されるとともに、チャンネル１ではＶＴＲ４００が出力する映像信号がＶＴＲ５００に入力され、チャンネル２ではＰＣ６００が出力する映像信号がＨＤＤレコーダ３００に入力される。
【００３１】
本実施の形態のＡＶセレクタ１０１によれば、モニタ２００に表示する映像の設定を行う第１の入力部が独立して構成されている。したがって、使用者が、モニタ２００に表示する映像の設定を行う操作が簡単である。
【００３２】
（第３の実施の形態）
次に、第３の実施の形態のＡＶセレクタ１０２を、図８〜図１０を参照して説明する。
本実施の形態では、ＡＶセレクタ１０２に、複数のモニタと、モニタに表示する映像の映像信号を出力可能な複数のＡＶ機器が接続可能に構成されている。本実施の形態のＡＶセレクタ１０２は、使用者が本体の前面パネルの操作部を用いて、いずれかの入力端子から入力される映像信号をモニタに出力する接続系統を、複数設定可能である。なお、本実施の形態のＡＶセレクタ１０２は、モニタに出力する接続系統の数と同数の入力切替手段（個別切替手段）を有している。各入力切替手段には、モニタに接続されている出力端子が個別に接続されている。したがって、出力端子（したがって、モニタ）が選択されることにより入力切替手段が選択され、選択されたモニタに表示する映像信号が入力される入力端子が設定されることにより、設定された入力端子と当該入力切替手段に個別に接続されている出力端子が接続される。
本実施の形態のＡＶセレクタ１０２の概略構成図を図８に示す。図９には、ＡＶセレクタ１０２の前面（使用者側）のパネルに設けられた表示部と操作部の一例を示す。図１０は、ＡＶセレクタ１０２の動作を制御する、ＡＶセレクタ１０２に設けられている制御部が実行する、モニタの接続の設定により、入力端子や出力端子を接続する動作を示すフローチャート図である。
【００３３】
まず、ＡＶセレクタ１０２の概略構成を説明する。
図８に示すように、本実施の形態のＡＶセレクタ１０２は、電源スイッチ１０５、制御部１３０、表示部１６０、映像信号を表示するモニタを設定するＯＵＴ入力部７４０、モニタにどのＡＶ機器から出力された映像信号を表示するかを設定するＩＮ入力部７５０、モニタの映像信号入力端子の数と同数の入力切替手段７０１，７１１，７２１，７３１を備えている。また、ＡＶセレクタ１０２は、入力端子９０１〜９０５、出力端子９０６〜９０９を備えている。
制御部１３０には、電源スイッチ１０５、ＯＵＴ入力部７４０、ＩＮ入力部７５０、表示部１６０、入力切替手段７０１，７１１，７２１，７３１が接続されている。
入力切替手段７０１は、また、入力端子９０１〜９０５、出力端子９０６と接続されている。入力切替手段７１１は、また、入力端子９０１〜９０５、出力端子９０７と接続されている。入力切替手段７２１は、また、入力端子９０１〜９０５、出力端子９０８と接続されている。入力切替手段７３１は、また、入力端子９０１〜９０５、出力端子９０９と接続されている。
【００３４】
この制御部１３０は、入力端子９０１〜９０５を、端子識別情報［１１］〜［１５］の入力端子として認識する。
制御部１３０は、また、入力端子９０１（端子識別情報［１１］）に接続するＡＶ機器を１番の機器、入力端子９０２（端子識別情報［１２］）に接続するＡＶ機器を２番の機器、入力端子９０３（端子識別情報［１３］）に接続するＡＶ機器を３番の機器、入力端子９０４（端子識別情報［１４］）に接続するＡＶ機器を４番の機器、入力端子９０５（端子識別情報［１５］）に接続するＡＶ機器を５番の機器と認識する。
本実施の形態では、図８に示すように、１番の機器としてＶＴＲ８００が、２番の機器としてＶＴＲ８１０が、３番の機器としてＶＴＲ８２０が、４番の機器としてＰＣ８３０が、５番の機器としてＤＶＤ８４０が接続されている。
また、出力端子９０６にはモニタ７００（ＯＵＴ１）が、出力端子９０７にはモニタ７１０（ＯＵＴ２）が、出力端子９０８にはモニタ７２０（ＯＵＴ３）が、出力端子９０９にはモニタ７３０（ＯＵＴ４）が接続されている。
ＡＶセレクタ１０２は、電源スイッチ１０５が操作されると、制御部１３０が動作を開始し、これによってＡＶセレクタ１０２が動作を開始するように構成されている。
本実施の形態の入力切替手段，７０１，７１１，７２１，７３１は、本発明の「個別切替手段」に対応する。
【００３５】
図９に示すように、ＡＶセレクタ１０２の前面（使用者側）のパネルには、電源スイッチ１０５、ＯＵＴ入力部７４０、ＩＮ入力部７５０、ＯＵＴ１〜ＯＵＴ４のモニタに表示する映像の映像信号を出力する映像信号出力機器の番号表示部１７１〜１７４、ＯＵＴ１〜ＯＵＴ４に対応するＬＥＤ１８１〜１８４が設けられている。
電源１０５については第１の実施の形態と同様の構成である。
ＯＵＴ入力部７４０では、ＯＵＴ１〜ＯＵＴ４のモニタのいずれかを選択する。いずれかのモニタが選択されると当該モニタに対応するＬＥＤ（ＬＥＤ１８１〜１８４のいずれか）が点灯する。ＯＵＴ入力部７４０には、三角形のキーと逆三角形のキーが設けられている。この三角形のキーが操作されると、ＯＵＴ入力部７４０は、後述する制御部１３０のＯＵＴカウンタをインクリメントするＵＰ信号を出力する。また、逆三角形のキーが操作されると、ＯＵＴ入力部７４０は、ＯＵＴカウンタをデクリメントするＤＯＷＮ信号を出力する。このＯＵＴカウンタのカウンタ値が、選択するモニタ（ＯＵＴ１〜ＯＵＴ４のいずれか）を示す。
ＩＮ入力部７５０では、選択したモニタに表示する映像を出力する映像信号出力機器を選択する（入力端子９０１〜９０５に接続されている１番〜５番の機器のいずれか）。いずれかの機器が選択されると、先に選択したモニタに対応する番号表示部（隣接するＬＥＤが点灯している。）に、選択された機器の番号が表示される。ＩＮ入力部７５０にも、三角形のキーと逆三角形のキーが設けられている。この三角形のキーが操作されると、ＩＮ入力部７５０は、後述する制御部のＩＮカウンタをインクリメントするＵＰ信号を出力する。また、逆三角形のキーが操作されると、ＩＮ入力部７５０は、ＩＮカウンタをデクリメントするＤＯＷＮ信号を出力する。このＩＮカウンタのカウンタ値が、入力端子９０１〜９０５に接続されている機器の番号を示す。
【００３６】
次に、上記した構成による複数系統のモニタの接続の設定に基づいて、ＡＶセレクタ１０２が、モニタに接続された出力端子を入力端子に接続する動作を、図１０に示すフローチャート図を用いて説明する。
ここでは、図９の表示部１７０で示すように、ＯＵＴ１（モニタ７００）、ＯＵＴ２（モニタ７１０）、ＯＵＴ３（モニタ７２０）に表示する映像として、５番のＡＶ機器（ＤＶＤ８４０）が出力する映像信号による映像が設定され、ＯＵＴ４（モニタ７３０）に表示する映像として、２番のＡＶ機器（ＶＴＲ８１０）が出力する映像信号による映像が設定された場合について説明する。
【００３７】
まず、制御部１３０は、ステップＳ４０で、ＯＵＴ入力部７４０が操作されたことによるＵＰ信号があるか否かを判別する。ＵＰ信号がある場合には、（ステップＳ４０のＹＥＳ）ステップＳ４２に進む。ＵＰ信号がない場合には、（ステップＳ４０のＮＯ）ステップＳ４４に進む。
ステップＳ４２では、制御部１３０に設けられているＯＵＴカウンタのカウンタ値をインクリメントする。そして、制御部１３０は、ステップＳ４８に進む。
一方、ステップＳ４４では、ＯＵＴ入力部７４０が操作されたことによるＤＯＷＮ信号があるか否かを判別する。ＤＯＷＮ信号がある場合には、（ステップＳ４４のＹＥＳ）ステップＳ４６に進む。ＤＯＷＮ信号がない場合には、（ステップＳ４４のＮＯ）ステップＳ５０に進む。
ステップＳ４６では、制御部１３０に設けられているＯＵＴカウンタのカウンタ値をデ
クリメントする。そして、制御部１３０は、ステップＳ４８に進む。
ステップＳ４８では、ＯＵＴカウンタのカウンタ値に対応するＬＥＤを点灯し、ステップＳ５０に進む。
ステップＳ５０では、ＩＮ入力部７５０が操作されたことによるＵＰ信号があるか否かを判別する。ＵＰ信号がある場合には、（ステップＳ５０のＹＥＳ）ステップＳ５２に進む。ＵＰ信号がない場合には、（ステップＳ５０のＮＯ）ステップＳ５４に進む。
ステップＳ５２では、設定されたＯＵＴカウンタ値に対応するＩＮカウンタのカウンタ値をインクリメントする。そして、ステップＳ５８に進む。
また、ステップＳ５４では、ＩＮ入力部７５０が操作されたことによるＤＯＷＮ信号があるか否かを判別する。ＤＯＷＮ信号がある場合には（ステップＳ５４のＹＥＳ）、ステップＳ５６に進む。ＤＯＷＮ信号がない場合には（ステップＳ５４のＮＯ）、ステップＳ５０に戻る。
ステップＳ５６では、設定されたＯＵＴカウンタ値に対応するＩＮカウンタのカウンタ値をデクリメントする。そして、ステップＳ５８に進む。
ステップＳ５８では、ＩＮカウンタのカウント値を、設定されたＯＵＴカウンタ値に対応する表示部に表示し、ステップＳ６０に進む。
ステップＳ６０では、ＯＵＴカウンタ値に対応する入力切替手段を用いて、当該入力切替手段に対応する出力端子に、ＩＮカウンタ値に対応する入力端子を接続し、終了する。
【００３８】
制御部１３０が上記した処理を実行することにより、使用者は、以下のように、各モニタに表示する映像を選択することができる。
使用者は、まず、ＯＵＴ入力部７４０を操作してＯＵＴ１を選択する。ＯＵＴ入力部７４０の三角形のキーを操作する毎に、ＯＵＴ１→ＯＵＴ２→ＯＵＴ３→ＯＵＴ４→ＯＵＴ１が選択されるので、ＯＵＴ１に対応するＬＥＤが点灯している状態でこの操作を終了する。これにより、ＯＵＴ１が選択される。次に、ＩＮ入力部７５０を操作してＯＵＴ１のモニタに表示する映像の映像信号を、ＡＶセレクタ１０２の入力端子９０１〜９０５に接続されているＡＶ機器（１番の機器〜５番の機器のいずれか）の中から選択する。ＯＵＴ１に対応する表示部１７１は、ＩＮ入力部７５０の三角形のキーを操作する毎に、１→２→３→４→５→１が選択されるので、表示部１７１に５が表示されている状態で操作を終了する。これにより、入力切替手段７０１は、当該切替手段７０１が接続されている出力端子９０６に、５番の機器が接続されている入力端子９０５を接続する。
ＯＵＴ２〜４の設定操作についても同様である。
【００３９】
このように、本実施の形態のＡＶセレクタ１０２には、出力端子９０６〜９０９に対応する入力切替手段７０１，７１１，７２１，７３１が設けられている。
通常、複数系統の入力端子と出力端子を接続する場合に、使用者は、系統（チャンネル等）の設定操作、入力端子の設定操作、出力端子の設定操作と３回の設定操作を行うが、本実施の形態のＡＶセレクタ１０２を用いれば、系統毎に構成される個別の入力切替手段を有しているので、系統あるいは出力端子についてはいずれか一方を設定すればよい。例えば、モニタすなわち、出力端子を選択することで系統が自動的に決定される。したがって、あとは、入力端子の設定操作を行えばよく、使用者は設定操作を２回行えばよく、各出力端子に接続された映像信号入力機器と、入力端子に接続された映像信号出力機器との接続の設定操作を簡単に行うことができる。
また、出力端子毎に入力切替手段が設けられているので、制御手段による切替手段の制御が容易である。
【００４０】
本発明は、実施の形態で説明した構成に限定されず種々の変更、追加、削除が可能である。
第１の実施の形態では本発明の「入力手段」がリモコン１１０である場合について、第２の実施の形態では本発明の「入力手段」がＡＶセレクタ１０１本体に第１〜第３入力部として設けられている場合について説明したが、ＡＶセレクタはリモコン１１０および第１〜第３入力部の両方を入力手段として備えていてもよい。これによれば、使用者は、都合に応じて入力手段を選択することができる。
第１、第２の実施の形態では、ＡＶセレクタのチャンネルが２つであり、ＡＶ機器間の接続を２系統設定可能な場合について説明したが、チャンネルは３以上でＡＶ機器間の接続が３系統以上であってもよい。これによれば、一度に多くのＡＶ機器を接続することができ、利便性が向上する。
また、第１、第２の実施の形態では、ＡＶセレクタにモニタ（第１の出力端子に接続する特定の映像機器）が１つ設けられている場合について説明したが、モニタは２以上設けられていてもよい。この場合には、モニタと同数の第１の出力端子があればよい。また、入力手段が、第２の実施の形態のように入力部として構成される場合には、モニタの数（第１の出力端子の数）に合わせて入力手段を増やせばよい。これによれば、ＡＶセレクタの利用形態の自由度が増す。
第１、第２の実施の形態の、第１の出力端子に接続される特定の映像機器は、モニタに限定されるものではない。
また、実施の形態は、入力端子及び出力端子が全てＡＶセレクタの背面に設けられている場合について説明したが、ＡＶセレクタの前面や側面等に設けられていてもよい。これによれば、ＡＶセレクタやＡＶセレクタに接続される各ＡＶ機器の配置次第で、都合のよい面の入力端子や出力端子を使用することができる。
実施の形態では、入力端子および出力端子とも映像信号の入出力用の端子として説明したが、音声等の入出力用の端子であっても同様である。
【００４１】
また、本発明は、以下のように構成することもできる。
「（態様）映像信号が入力される複数の入力端子と、映像信号を出力する複数の出力端子と、入力端子と出力端子を接続可能な切替手段と、前記切替手段で接続する入力端子や出力端子を設定する設定情報を入力する入力手段と、前記設定情報により設定された入力端子や出力端子を接続するように前記切替手段を制御する制御手段を備える映像機器接続装置であって、
前記切替手段は、前記複数の出力端子に対応して設けられ、前記入力端子を、当該対応する出力端子のみに接続可能な複数の個別切替手段を有し、
前記個別切替手段を、予め定められている順番で順次選択する選択手段を備え、
前記制御手段は、設定情報に基づいて前記選択手段を制御し、前記選択手段で選択された個別切替手段を制御して、当該個別切替手段に対応する出力端子に、設定情報により設定された入力端子を接続する、
ことを特徴とする映像機器接続装置。」
この「選択手段」としては、例えば、カウンタを用いることができる。この場合、制御手段による選択手段の制御態様としては、設定情報がＵＰ情報（設定情報が映像信号出力機器の次の順番の機器を選択する信号）であれば、カウンタに１を加算し、設定情報がＤＯＷＮ情報（設定情報が映像信号出力機器の前の順番の機器を選択する信号）であれば、カウンタから１を減算する態様を用いることができる。
本態様の映像機器接続装置によれば、系統毎に構成される個別切替手段を有しており、選択手段を用いて個別切替手段を順番に選択することができる。使用者は、個別切替手段が選択されれば、あとは、入力端子の設定操作を行えばよく、各出力端子に接続された映像信号入力機器と、入力端子に接続された映像信号出力機器との接続の設定操作を簡単に行うことができる。
また、出力端子毎に個別切替手段が設けられているので、制御手段による切替手段の制御が容易である。
【図面の簡単な説明】
【００４２】
【図１】本発明の第１の実施の形態のＡＶセレクタ１００の概略構成図である。
【図２】ＡＶセレクタ１００の前面（使用者側）のパネルに設けられた表示部１６０と、リモコン１１０の操作キーの一例を示す。
【図３】ＡＶセレクタ１００の背面（使用者側と反対側）に設けられた入力端子および出力端子の一例を示す。
【図４】制御部１３０の動作を示すフローチャート図である。
【図５】ＡＶセレクタ１００の前面（使用者側）のパネルに設けられた表示部１６０と、リモコン１１０の操作キーの他の例を示す。
【図６】本発明の第２の実施の形態のＡＶセレクタ１０１の概略構成図である。
【図７】ＡＶセレクタ１０１の前面（使用者側）のパネルに設けられた表示部１６０と、第１、第２、第３の入力部を示す。
【図８】本発明の第３の実施の形態のＡＶセレクタ１０２の概略構成図である。
【図９】ＡＶセレクタ１０２の前面（使用者側）のパネルに設けられた表示部１７０と、各入力部を示す。
【図１０】制御部１３０の動作を示すフローチャート図である。
【符号の説明】
【００４３】
１００，１０１，１０２  ＡＶセレクタ
１１０  リモコン
１３０  制御部
１４０  第１の切替手段
１５０  第２の切替手段
１６０  表示部
１６６  チャンネル表示部
１７０  第１の入力部
１８０  第２の入力部
１８５  第３の入力部
２００  モニタ
７０１，７１１，７２１，７３１  入力切替手段
７４０  ＯＵＴ入力部
７５０  ＩＮ入力部
【図１】
2006108780.tif 000003
【図２】
2006108780.tif 000004
【図３】
2006108780.tif 000005
【図４】
2006108780.tif 000006
【図５】
2006108780.tif 000007
【図６】
2006108780.tif 000008
【図７】
2006108780.tif 000009
【図８】
2006108780.tif 000010
【図９】
2006108780.tif 000011
【図１０】
2006108780.tif 000012